(57)【要約】【課題】ユーザに部分画像と全体画像との関係性をより容易に把握させる。【解決手段】撮像装置１００であって、画像の記録を指示する操作が行われると、撮像部３により撮像される全体画像内の切出領域に対応する部分画像と、少なくとも全体画像に関連する所定の関連情報とを対応付けて記録させる記録制御部６と、記録されている部分画像を取得して表示パネル８ｂに表示させるとともに、部分画像と対応付けられて記録されている所定の関連情報を取得して、表示パネルに表示されている部分画像を全体画像に切り換える所定の表示動作を行わせる表示制御部８ａと、を備えている。【選択図】図１
2018007190.tif 000002
【特許請求の範囲】
【請求項１】
撮像手段の撮像範囲内の所定位置に切出領域を設定する設定手段と、
画像の記録を指示する操作が行われると、前記撮像手段により撮像される全体画像内の前記切出領域に対応する部分画像と、少なくとも前記全体画像に関連する所定の関連情報とを対応付けて記録させる記録制御手段と、
前記記録制御手段により記録されている前記部分画像を取得して表示手段に表示させる部分画像表示制御手段と、
前記記録制御手段により前記部分画像と対応付けられて記録されている前記所定の関連情報を取得して、前記表示手段に表示されている前記部分画像を前記全体画像に切り換える所定の表示動作を行わせる切換表示制御手段と、
を備えたことを特徴とする撮像装置。
【請求項２】
前記所定の関連情報は、前記部分画像から前記全体画像に動的に切り換える視覚効果を有する動画情報を含み、
前記部分画像表示制御手段は、更に、前記表示手段に表示されている前記部分画像と対応付けて、前記所定の表示動作の実行を指示する指標を前記表示手段に表示させ、
前記切換表示制御手段は、前記指標がユーザにより操作されると、前記動画情報に基づいて、前記表示手段の表示領域全体に前記部分画像を表示させた第１の表示状態から当該表示領域全体に前記全体画像を表示させた第２の表示状態まで動的に切り換える動画像の表示を前記所定の表示動作として行う
ことを特徴とする請求項１に記載の撮像装置。
【請求項３】
前記切換表示制御手段は、更に、前記第１の表示状態から前記第２の表示状態までの動的な切り換えの途中の表示状態として、前記全体画像内における前記部分画像以外の領域を非表示とした画像を前記表示手段に表示させ、前記途中の表示状態から前記全体画像内にて非表示とする領域を次第に狭めるようにして前記第２の表示状態まで動的に切り換える
ことを特徴とする請求項２に記載の撮像装置。
【請求項４】
前記切換表示制御手段は、更に、前記第１の表示状態から前記部分画像の大きさを次第に小さくするようにして前記途中の表示状態まで動的に切り換える
ことを特徴とする請求項３に記載の撮像装置。
【請求項５】
画像の記録を指示する操作が行われると、前記部分画像から前記全体画像に動的に切り換える視覚効果を有する動画情報を生成する動画生成手段を更に備え、
前記記録制御手段は、前記動画生成手段により生成された動画情報を前記所定の関連情報として記録させる
ことを特徴とする請求項１〜４の何れか一項に記載の撮像装置。
【請求項６】
前記記録制御手段は、前記全体画像を、前記部分画像及び前記所定の関連情報と対応付けて記録させ、
前記部分画像及び前記全体画像は、それぞれ独立して再生可能であり、
前記所定の関連情報は、前記部分画像表示制御手段により前記表示手段に前記部分画像が表示された状態で、前記所定の表示動作の実行が指示されると再生可能である
ことを特徴とする請求項５に記載の撮像装置。
【請求項７】
前記部分画像及び前記全体画像は、それぞれ独立して削除可能であり、
前記所定の関連情報は、前記部分画像及び前記全体画像のうちの少なくとも一方の削除が指示されると当該削除に付随して削除可能である
ことを特徴とする請求項５に記載の撮像装置。
【請求項８】
撮像装置を用いた画像表示方法であって、
撮像手段の撮像範囲内の所定位置に切出領域を設定する設定処理と、
画像の記録を指示する操作が行われると、前記撮像手段により撮像される全体画像内の前記切出領域に対応する部分画像と、少なくとも前記全体画像に関連する所定の関連情報とを対応付けて記録させる記録制御処理と、
前記記録制御処理により記録されている前記部分画像を取得して表示手段に表示させる部分画像表示制御処理と、
前記記録制御処理により前記部分画像と対応付けられて記録されている前記所定の関連情報を取得して、前記表示手段に表示されている前記部分画像を前記全体画像に切り換える所定の表示動作を行わせる切換表示制御処理と、
を含むことを特徴とする画像表示方法。
【請求項９】
撮像装置のコンピュータを、
撮像手段の撮像範囲内の所定位置に切出領域を設定する設定手段、
画像の記録を指示する操作が行われると、前記撮像手段により撮像される全体画像内の前記切出領域に対応する部分画像と、少なくとも前記全体画像に関連する所定の関連情報とを対応付けて記録させる記録制御手段、
前記記録制御手段により記録されている前記部分画像を取得して表示手段に表示させる部分画像表示制御手段、
前記記録制御手段により前記部分画像と対応付けられて記録されている前記所定の関連情報を取得して、前記表示手段に表示されている前記部分画像を前記全体画像に切り換える所定の表示動作を行わせる切換表示制御手段、
として機能させることを特徴とするプログラム。
【発明の詳細な説明】
【技術分野】
【０００１】
本発明は、撮像装置、画像表示方法及びプログラムに関する。
【背景技術】
【０００２】
従来、撮像して得られる全体画像から、ズーム倍率に応じた一部分の領域を切り出してモニタ画面に拡大表示し、撮影指示に応じて記録するデジタルズーム機能を備えた撮像装置が知られている。また、ズーム前の広角画像を縮小した状態でモニタ画面の一部に合成して表示する技術も知られている（例えば、特許文献１参照）。
【先行技術文献】
【特許文献】
【０００３】
【特許文献１】特開２０１０−２３２９６２号公報
【発明の概要】
【発明が解決しようとする課題】
【０００４】
しかしながら、上記特許文献１の場合、撮影後にズーム後の望遠画像とズーム前の広角画像とを読み出して表示しても、互いの関係性を把握することが困難であり、使い勝手が悪いといった問題がある。
【０００５】
本発明は、このような問題に鑑みてなされたものであり、本発明の課題は、ユーザに部分画像と全体画像との関係性をより容易に把握させることができる撮像装置、画像表示方法及びプログラムを提供することである。
【課題を解決するための手段】
【０００６】
上記課題を解決するため、本発明に係る撮像装置は、
撮像手段の撮像範囲内の所定位置に切出領域を設定する設定手段と、
画像の記録を指示する操作が行われると、前記撮像手段により撮像される全体画像内の前記切出領域に対応する部分画像と、少なくとも前記全体画像に関連する所定の関連情報とを対応付けて記録させる記録制御手段と、
前記記録制御手段により記録されている前記部分画像を取得して表示手段に表示させる部分画像表示制御手段と、
前記記録制御手段により前記部分画像と対応付けられて記録されている前記所定の関連情報を取得して、前記表示手段に表示されている前記部分画像を前記全体画像に切り換える所定の表示動作を行わせる切換表示制御手段と、
を備えたことを特徴としている。
【発明の効果】
【０００７】
本発明によれば、ユーザに部分画像と全体画像との関係性をより容易に把握させることができる。
【図面の簡単な説明】
【０００８】
【図１】本発明を適用した一実施形態の撮像装置の概略構成を示すブロック図である。
【図２】図１の撮像装置による撮影処理に係る動作の一例を示すフローチャートである。
【図３】図２の撮影処理を説明するための図である。
【図４】図２の撮影処理を説明するための図である。
【図５】図２の撮影処理を説明するための図である。
【図６】図１の撮像装置による画像表示処理に係る動作の一例を示すフローチャートである。
【図７】図６の画像表示処理を説明するための図である。
【図８】図６の画像表示処理を説明するための図である。
【発明を実施するための形態】
【０００９】
以下に、本発明について、図面を用いて具体的な態様を説明する。ただし、発明の範囲は、図示例に限定されない。
【００１０】
図１は、本発明を適用した一実施形態の撮像装置１００の概略構成を示すブロック図である。
図１に示すように、本実施形態の撮像装置１００は、具体的には、中央制御部１と、メモリ２と、撮像部３と、信号処理部４と、画像処理部５と、記録制御部６と、記録部７と、表示部８と、操作入力部９とを備えている。
また、中央制御部１、メモリ２、撮像部３、信号処理部４、画像処理部５、記録制御部６及び表示部８は、バスライン１０を介して接続されている。
【００１１】
中央制御部１は、撮像装置１００の各部を制御するものである。具体的には、中央制御部１は、図示は省略するが、ＣＰＵ（Central Processing Unit）等を備え、撮像装置１００用の各種処理プログラム（図示略）に従って各種の制御動作を行う。
【００１２】
メモリ２は、例えば、ＤＲＡＭ（Dynamic Random Access Memory）等により構成され、中央制御部１や画像処理部５等によって処理されるデータ等を一時的に格納する。
また、メモリ２は、切出領域Ａ（図３（ａ）等参照）のサイズ（大きさ）及び形状の組み合わせが規定されている切出領域テーブルＴを記録している。この切出領域テーブルＴには、具体的には、切出領域Ａのサイズ及び形状のうちの少なくとも一方を異ならせた複数の組み合わせが規定されている。
切出領域Ａのサイズ及び形状は、例えば、デジタルズームや光学ズームにて全体画像Ｉａ（図５（ｂ）参照）内の一部分の領域を所定のズーム倍率でズームインした場合に撮像可能な領域の縦横の画素数や、全体画像Ｉａの縦横各々の画素数に対する当該切出領域Ａの縦横各々の相対的な割合等を異ならせることで複数規定されている。例えば、切出領域Ａの形状には、縦長の形状（図３（ａ）参照）や横長の形状（図３（ｂ）参照）があり、各形状について、サイズを異ならせたものがそれぞれ切出領域テーブルＴに規定されている。
なお、図３（ａ）や図３（ｂ）に例示した切出領域Ａのサイズや形状は、一例であってこれらに限られるものではなく、適宜任意に変更可能である。例えば、切出領域Ａの形状は、円形や楕円形であっても良いし、矩形以外の多角形であっても良いし、星形やハート形などであっても良いし、ユーザによる操作入力部９の所定操作等に基づいて指定された任意の形など、全体画像Ｉａ内の一部分の領域を囲繞する形であれば良い。
【００１３】
撮像部３は、被写体を任意の撮像フレームレートで撮像してフレーム画像を生成する。具体的には、撮像部３は、レンズ部３ａと、電子撮像部３ｂと、撮像制御部３ｃとを備えている。
【００１４】
レンズ部３ａは、例えば、ズームレンズやフォーカスレンズ等の複数のレンズ、レンズを通過する光の量を調整する絞り等から構成されている。
電子撮像部３ｂは、例えば、ＣＣＤ（Charge Coupled Device）やＣＭＯＳ（Complementary Metal-Oxide Semiconductor）等のイメージセンサ（撮像素子）から構成されている。そして、電子撮像部３ｂは、レンズ部３ａの各種レンズを通過した光学像を二次元の画像信号に変換する。
撮像制御部３ｃは、例えば、タイミング発生器やドライバにより電子撮像部３ｂを走査駆動して、レンズ部３ａを通過した光学像を電子撮像部３ｂにより所定周期毎に二次元の画像信号に変換させ、当該電子撮像部３ｂの撮像領域から一画面分ずつフレーム画像を読み出して信号処理部４に出力させる。
なお、撮像制御部３ｃは、ＡＦ（自動合焦処理）、ＡＥ（自動露出処理）、ＡＷＢ（自動ホワイトバランス）等の被写体を撮像する際の条件の調整制御を行っても良い。
【００１５】
信号処理部４は、電子撮像部３ｂから転送されたフレーム画像のアナログ値の信号に対して各種の画像信号処理を施す。具体的には、信号処理部４は、例えば、フレーム画像のアナログ値の信号に対してＲＧＢの色成分毎に適宜ゲイン調整し、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行って、デジタル値の輝度信号Ｙ及び色差信号Ｃｂ，Ｃｒ（ＹＵＶデータ）を生成する。また、信号処理部４は、生成された輝度信号Ｙ及び色差信号Ｃｂ，Ｃｒをバッファメモリとして使用されるメモリ２に出力する。
【００１６】
画像処理部５は、設定部５ａと、被写体移動検出部５ｂと、変位部５ｃと、変位制御部５ｄと、切出部５ｅとを具備している。
なお、画像処理部５の各部は、例えば、所定のロジック回路から構成されているが、当該構成は一例であってこれに限られるものではない。
【００１７】
設定部５ａは、撮像部３の撮像範囲内の所定位置に切出領域Ａを設定する。
すなわち、例えば、部分画像Ｉｐ（図５（ａ）参照）と全体画像Ｉａ（図５（ｂ）参照）とを対応付けて記録する所定の撮影モードが設定されている場合において、表示パネル８ｂにライブビュー画像としての全体画像Ｉａの表示中に、設定部５ａは、撮像部３の撮像範囲（画角）内の所定位置（例えば、略中央等）に切出領域Ａを設定する。ここで、切出領域Ａのサイズや形状は、例えば、切出領域テーブルＴにデフォルトとして設定されているサイズや形状であっても良いし、前回設定された切出領域Ａのサイズや形状であっても良い。
なお、設定部５ａは、例えば、被写体認識処理（後述）等により画角内から特定の被写体が検出されると、検出された特定の被写体の位置を基準として、当該特定の被写体が含まれるように切出領域Ａを設定しても良い。
【００１８】
被写体移動検出部５ｂは、特定の被写体の移動を検出する。
すなわち、被写体移動検出部５ｂは、設定部５ａにより設定された切出領域Ａ内の特定の被写体の撮像部３の撮像範囲に対する相対的な移動を検出する。
具体的には、被写体移動検出部５ｂは、例えば、全体画像Ｉａにおける切出領域Ａに対して、記録部７に記録されている特徴情報と照合する被写体認識処理を行って当該切出領域Ａ内から特定の被写体を検出する。そして、被写体移動検出部５ｂは、信号処理部４により生成されたライブビュー画像（全体画像Ｉａ）に係る複数のフレーム画像のＹＵＶデータに対して、上記した被写体認識処理や、一旦検出された特定の被写体の追跡用の情報（例えば、特徴点、輝度情報、色情報等）を用いた動体追跡処理等を行うことにより、各フレーム画像の切出領域Ａ内から特定の被写体を逐次検出する。これにより、被写体移動検出部５ｂは、切出領域Ａ内の特定の被写体の撮像部３の撮像範囲に対する相対的な移動を逐次検出する。
【００１９】
なお、撮像部３の撮像範囲に対する特定の被写体の相対的な移動を検出する場合、例えば、特定の被写体が動体でなければ、この特定の被写体は、撮像範囲内における他の被写体（例えば、背景全体）と一緒に撮像範囲内で移動するため、当該撮像範囲内における他の被写体（例えば、背景全体）の移動を検出することにより、特定の被写体の移動を検出するようにしてもよい。
また、特定の被写体は、上記した処理により検出されるものに限られるものではなく、例えば、顔検出処理にて検出された最も大きい顔を有する被写体（最も近距離にいる被写体）であっても良い。
【００２０】
変位部５ｃは、切出領域Ａの位置を変位させる。
すなわち、変位部５ｃは、撮像部３の撮像範囲内の特定の被写体の移動に追従させるように、この撮像範囲内における切出領域Ａの位置を変位させる。具体的には、変位部５ｃは、ユーザによるシャッタボタン９ａの半押し操作が行われた後、被写体移動検出部５ｂにより検出される特定の被写体の相対的な移動に合わせて、撮像部３の撮像範囲内における切出領域Ａの位置を変位させる。つまり、例えば、切出領域Ａ内の特定の被写体の位置が当該切出領域Ａの略中央にある場合、被写体移動検出部５ｂにより画角内での特定の被写体の相対的な移動が検出されても、変位部５ｃが、当該特定の被写体の相対的な移動に合わせて切出領域Ａの位置を変位させることで、切出領域Ａ内での特定の被写体の位置は変化しないこととなる。
【００２１】
具体的には、例えば、被写体移動検出部５ｂにより特定の被写体の特徴点の追跡が行われて当該特定の被写体の動きベクトルが算出されると、変位部５ｃは、算出された特定の被写体の動きベクトルに基づいて、切出領域Ａの位置を変位させる動作を行っても良い。また、例えば、被写体移動検出部５ｂにより被写体認識処理が行われた場合には、変位部５ｃは、認識された特定の被写体の認識位置の移動に基づいて、切出領域Ａの位置を変位させる動作を行っても良い。さらに、変位部５ｃは、例えば、当該撮像装置１００本体のレンズ部３ａの光軸方向を基準とするピッチ方向、ヨー方向、ロール方向の回転を図示しない角速度センサ等により検出し、検出される回転方向や回転量に基づいて、切出領域Ａの位置を変位させる動作を行っても良い。
なお、上記した３つの動作は、手動で或いは自動的に切換えて実行可能である。また、例えば、３つの動作を自動的に切換える場合、被写体認識処理にて、予め記録部７に特定の被写体の認識用の特徴情報（特定の被写体の顔画像等）が記録された特定の被写体が画角内に存するか否かや、動体追跡処理の結果から特定の被写体が動体であるか否かや、角速度センサ（図示略）等から検出されたユーザにより当該撮像装置１００本体を変位させる速度が所定の速度以上となったか否か等に応じて、切換えても良い。
さらに、上記した３つの動作のうち、少なくとも何れか二つを組み合わせて、複合的な制御で切出領域Ａの位置を変位させるようにしても良い。
【００２２】
変位制御部５ｄは、切出領域Ａの変位を制御する。
すなわち、変位制御部５ｄは、ユーザによるシャッタボタン９ａの半押し操作が行われるまでは、撮像部３の撮像範囲内の所定位置（例えば、略中央等）に切出領域Ａの位置を固定した状態とする制御を行う。さらに、ユーザによるシャッタボタン９ａの半押し操作が行われるまでは、例えば、切出領域テーブルＴに規定されている切出領域Ａのサイズ及び形状の複数の組み合わせの中から、ユーザが所望するサイズ及び形状の組み合わせがユーザによる操作入力部９の所定操作に基づいて選択されることで、変位制御部５ｄは、撮像部３の撮像範囲に対して切出領域Ａの位置を固定した状態で、当該切出領域Ａのサイズ及び形状のうちの少なくとも一方を変更可能に制御しても良い（図３（ａ）及び図３（ｂ）参照）。
また、変位制御部５ｄは、ユーザによるシャッタボタン９ａの半押し操作が行われると、変位部５ｃにより特定の被写体の移動に追従させるように切出領域Ａの位置を変位させる制御を行う。さらに、ユーザによるシャッタボタン９ａの半押し操作が行われると、変位制御部５ｄは、このシャッタボタン９ａの半押し操作が行われるまでに指定された切出領域Ａのサイズ及び形状を固定した状態で、変位部５ｃにより特定の被写体の移動に追従させるように切出領域Ａの位置を変位させる制御を行っても良い（図４（ｂ）参照）。
【００２３】
なお、ユーザによるシャッタボタン９ａの半押し操作が行われるまでは、切出領域Ａのサイズや形状を変更可能としたが、一例であってこれに限られるものではなく、例えば、ユーザによるシャッタボタン９ａの半押し操作が行われた後も、切出領域Ａのサイズや形状を変更可能とし、例えば、シャッタボタンの全押し操作（第２の操作）が行われた際に切出領域Ａのサイズや形状を固定するようにしても良い。
すなわち、ユーザによるシャッタボタン９ａの半押し操作が行われると、切出領域Ａの位置は特定の被写体の移動に追従するように変位することから、当該切出領域Ａ内には常に特定の被写体が存している状態となっている。このため、例えば、切出領域Ａのサイズが大きくなるように変更する場合、当該切出領域Ａ内には特定の被写体が必ず存している状態となり、一方で、切出領域Ａのサイズが小さくなるように変更しても、当該切出領域Ａ内には少なくとも特定の被写体の一部分が存している状態となる。同様に、切出領域Ａの形状の変更により当該切出領域Ａの面積が小さくなっても、当該切出領域Ａ内には少なくとも特定の被写体の一部分が存している状態となる。ただし、被写体移動検出部５ｂによる被写体認識処理や動体追跡処理等を適正に行う上では、サイズや形状の変更後の切出領域Ａ内から改めて特定の被写体を検出する必要が生じる。
【００２４】
切出部５ｅは、全体画像Ｉａから切出領域Ａを切り出す。
すなわち、切出部５ｅは、ユーザによるシャッタボタン９ａの半押し操作に続けて全押し操作が行われると、信号処理部４により生成された全体画像ＩａのＹＵＶデータをメモリ２から取得し、全体画像Ｉａ内の切出領域Ａに対応する部分画像Ｉｐの画像データを切り出す（図５（ａ）参照）。つまり、ユーザによるシャッタボタン９ａの半押し操作が行われた後は、変位制御部５ｄは、変位部５ｃにより特定の被写体の移動に追従させるように切出領域Ａの位置を変位させていき、切出部５ｅは、ユーザによるシャッタボタン９ａの全押し操作が行われると、その時点での撮像部３の撮像範囲内における切出領域Ａの位置で全体画像Ｉａから切出領域Ａに対応する部分画像Ｉｐを切り出す。
なお、切出領域Ａは、例えば、デジタルズームや光学ズームにて全体画像Ｉａ内の一部分の領域をズームインした場合に撮像可能な領域のことである。例えば、縦横それぞれを２倍とするズーム倍率の場合、全体画像Ｉａ内の面積比で１／４のサイズの領域が切出領域Ａとなる。そして、切出領域Ａの部分画像Ｉｐを表示部８の表示パネル８ｂ全体に表示すると、当該切出領域Ａがズームインされて部分画像Ｉｐが拡大表示された状態となる。
また、ここでいう全体画像Ｉａとは、切出領域Ａを切り出す前の元となる画像のことであり、必ずしもイメージセンサ（撮像素子）の全画素に対応する画像でなくてもよい。
【００２５】
記録制御部６は、記録部７からのデータの読み出しや記録部７に対するデータの書き込みを制御する。
すなわち、記録制御部６は、例えば、不揮発性メモリ（フラッシュメモリ）や記録媒体等により構成された記録部７に、所定の圧縮形式（例えば、ＪＰＥＧ形式等）で符号化された画像の記録用の画像データを記録させる。具体的には、記録制御部６は、ユーザにより画像の記録を指示する操作（例えば、シャッタボタン９ａの全押し操作）が行われると、撮像部３により撮像される全体画像Ｉａ内の切出部５ｅにより切り出された切出領域Ａに対応する部分画像Ｉｐと、撮像部３により撮像される全体画像Ｉａと、部分画像Ｉｐから全体画像Ｉａに動的に切り換える視覚効果を有する動画情報Ｍとを対応付けて記録部７に記録させる。
具体的には、記録制御部６は、動画情報Ｍを生成する動画生成部６ａを具備し、この動画生成部６ａにより生成された動画情報Ｍを記録部７に記録させる。
【００２６】
動画生成部６ａは、ユーザによりシャッタボタン９ａが全押し操作されて部分画像Ｉｐや全体画像Ｉａの記録が指示されると、少なくとも全体画像Ｉａに関連する所定の関連情報として、部分画像Ｉｐから全体画像Ｉａに動的に切り換える視覚効果を有する動画情報Ｍを生成する。
この動画情報Ｍは、例えば、表示パネル８ｂの表示領域全体に部分画像Ｉｐを表示させる第１の表示状態（図７（ａ）参照）から、全体画像Ｉａ内における部分画像Ｉｐ以外の領域を非表示とした画像を表示させる途中の表示状態（図７（ｃ）参照）を経て、表示パネル８ｂの表示領域全体に全体画像Ｉａを表示させる第２の表示状態（図８（ｂ）参照）まで、所定のフレームレートで画像を動的に切り換える動画像を表示させるためのものである。
具体的には、動画生成部６ａは、例えば、全体画像Ｉａの画像データ、部分画像Ｉｐの画像データ、全体画像Ｉａ内での部分画像Ｉｐ（切出領域Ａ）の位置の座標（例えば、左上隅部のxy座標等）等を用いて、第１の表示状態から途中の表示状態までの間で部分画像Ｉｐの縦横比を固定したまま当該部分画像Ｉｐのサイズを次第に小さくしながら表示するための部分画像Ｉｐの表示位置及び拡大縮小率を示す情報や、途中の表示状態から第２の表示状態までの間で全体画像Ｉａ内にて非表示とする領域を次第に狭めながら表示するための当該全体画像Ｉａにおける非表示とする領域の位置を示す情報等を生成する。そして、動画生成部６ａは、部分画像Ｉｐの表示位置及び拡大縮小率を示す情報に従って、表示パネル８ｂの表示領域全体に表示される部分画像Ｉｐのサイズを次第に小さくしていった所定数のフレーム画像Ｆ１（図７（ｂ）参照）と、全体画像Ｉａ内における部分画像Ｉｐ以外の領域を非表示としたフレーム画像Ｆ２（図７（ｃ）参照）と、非表示とする領域の位置を示す情報に従って全体画像Ｉａ内にて非表示とする領域を次第に狭めていった所定数のフレーム画像Ｆ３（図８（ａ）参照）とを含む動画情報Ｍを生成する。
なお、動画情報Ｍは、例えば、最初のフレーム画像を部分画像Ｉｐとしても良いし、また、最後のフレーム画像を全体画像Ｉａとしても良い。また、動画情報Ｍは、例えば、MOV形式やH.264/AVCに準拠した形式のデータであるが、一例であってこれに限られるものではなく、適宜任意に変更可能である。
【００２７】
また、記録制御部６は、部分画像Ｉｐ、全体画像Ｉａ及び動画情報Ｍをそれぞれ個別に圧縮して、同じファイル名で別々のファイルとして記録部７に記録させる。すなわち、記録制御部６は、部分画像Ｉｐ、全体画像Ｉａ及び動画情報Ｍを同じファイル名とすることで、これらを互いに対応付けて記録部７に記録させる。
これらの部分画像Ｉｐ、全体画像Ｉａ及び動画情報Ｍのうち、部分画像Ｉｐと全体画像Ｉａとは、それぞれ独立して再生が可能となっている。すなわち、記録制御部６は、ユーザによる操作入力部９の所定操作に基づいて部分画像Ｉｐや全体画像Ｉａの再生が指示されると、再生対象となる画像（例えば、部分画像Ｉｐ等）を記録部７から読み出す。そして、表示制御部８ａは、記録部７から読み出され画像処理部５により復号された再生対象の画像を表示パネル８ｂの表示領域に表示させる制御を行う（詳細後述）。
一方、動画情報Ｍは、表示パネル８ｂに部分画像Ｉｐが表示された状態で、所定の表示動作の実行が指示されると再生可能である。すなわち、例えば、ユーザにより操作入力部９を介して当該表示パネル８ｂに表示されている指標Ｃ（図７（ａ）参照）が操作されて、上記した第１の表示状態（図７（ａ）参照）から第２の表示状態（図８（ｂ）参照）までの動画像の表示（所定の表示動作）の実行が指示されると、記録制御部６は、表示されている部分画像Ｉｐと対応付けられている動画情報Ｍを記録部７から読み出す。そして、表示制御部８ａは、記録部７から読み出され画像処理部５により復号された動画情報Ｍに基づいて、表示パネル８ｂの表示領域に動画像を表示させる制御を行う（詳細後述）。
【００２８】
また、部分画像Ｉｐと全体画像Ｉａとは、それぞれ独立して削除が可能となっている。すなわち、記録制御部６は、ユーザによる操作入力部９の所定操作に基づいて部分画像Ｉｐや全体画像Ｉａの削除が指示されると、削除対象となる画像（例えば、部分画像Ｉｐ等）を記録部７から削除する。
一方、動画情報Ｍは、部分画像Ｉｐ及び全体画像Ｉａのうちの少なくとも一方の削除が指示されると当該削除に付随して削除可能である。すなわち、記録制御部６は、上記したように、ユーザによる操作入力部９の所定操作に基づいて部分画像Ｉｐや全体画像Ｉａの削除が指示されると、削除対象となる画像（例えば、部分画像Ｉｐ等）と対応付けられている動画情報Ｍも併せて記録部７から削除する。
【００２９】
なお、部分画像Ｉｐと全体画像Ｉａとを互いに異なる画質とする場合、記録制御部６は、部分画像Ｉｐよりも全体画像Ｉａの方がより低画質となるような圧縮率で個別に圧縮して別々のファイルとして記録部７に記録させるようにしても良い。
【００３０】
表示部８は、表示制御部８ａと、表示パネル８ｂとを具備している。
【００３１】
表示制御部８ａは、メモリ２や記録部７から読み出され画像処理部５により復号された所定サイズの画像データに基づいて、所定の画像を表示パネル８ｂの表示領域に表示させる制御を行う。具体的には、表示制御部８ａは、ＶＲＡＭ（Video Random Access Memory）、ＶＲＡＭコントローラ、デジタルビデオエンコーダなどを備えている。そして、デジタルビデオエンコーダは、画像処理部５により復号されてＶＲＡＭに記録されている輝度信号Ｙ及び色差信号Ｃｂ，Ｃｒを、ＶＲＡＭコントローラを介してＶＲＡＭから所定の再生フレームレートで読み出して、これらのデータを元にビデオ信号を発生して表示パネル８ｂに出力する。なお、画像処理部５は、例えば、表示パネル８ｂの表示解像度等に基づいて所定サイズ（例えば、フルＨＤサイズ）に変形しても良い。
【００３２】
また、表示制御部８ａは、静止画像や動画像の撮影モードにて、撮像部３により逐次撮像される全体画像Ｉａに係る複数のフレーム画像を所定の再生フレームレートで逐次更新しながらライブビュー画像として表示パネル８ｂに表示させる。
このとき、表示制御部８ａは、ライブビュー画像として表示パネル８ｂに逐次表示されている全体画像Ｉａ内に、切出領域Ａを示す枠Ｗを表示させることで当該切出領域Ａを識別可能に表示させる。具体的には、ユーザによるシャッタボタン９ａの半押し操作が行われるまで、すなわち、切出領域Ａのサイズ及び形状が固定されるまでに、例えば、切出領域テーブルＴに規定されている切出領域Ａのサイズ及び形状の複数の組み合わせの中から、ユーザが所望するサイズ及び形状の組み合わせがユーザによる操作入力部９の所定操作に基づいて選択された場合には、表示制御部８ａは、選択された組み合わせに対応するサイズ及び形状の切出領域Ａを示す枠Ｗを表示させることで、当該切出領域Ａを全体画像Ｉａ内で識別可能に表示させる。
【００３３】
さらに、表示制御部８ａは、ユーザによるシャッタボタン９ａの半押し操作が行われるまでは、表示パネル８ｂに逐次表示されている全体画像Ｉａ内における切出領域Ａ以外の領域にマスク処理を施して、当該切出領域Ａ以外の領域の画像を半透過の表示状態で表示させる（図３（ａ）等参照）。これにより、表示制御部８ａは、切出領域Ａに対応する部分画像Ｉｐに対して、切出領域Ａ以外の領域の画像を相対的に目立たせないような所定の表示態様で表示させるようになっている。
そして、表示制御部８ａは、ユーザによるシャッタボタン９ａの半押し操作が行われて切出領域Ａのサイズ及び形状が固定されると、当該切出領域Ａ以外の領域の画像の半透過の表示状態での表示を解除する（図４（ａ）参照）。これにより、表示制御部８ａは、ライブビュー画像としての全体画像Ｉａ内には、サイズ及び形状を固定した切出領域Ａを示す枠Ｗを表示させた状態となる。
【００３４】
なお、切出領域Ａ以外の領域の画像を相対的に目立たせないような所定の表示態様として、当該切出領域Ａ以外の領域の画像の半透過の表示状態を例示したが、一例であってこれに限られるものではなく、適宜任意に変更可能である。例えば、表示制御部８ａは、切出領域Ａ以外の領域の画像の明度や彩度や色相等を変更しても良いし、切出領域Ａ以外の領域の画像にモザイク処理やぼかし処理を施しても良いし、切出領域Ａ以外の領域をマスク画像により完全に覆っても良い。
【００３５】
また、表示制御部８ａは、記録制御部６により記録部７に記録されている部分画像Ｉｐを取得して表示パネル８ｂに表示させ、当該部分画像Ｉｐと対応付けられて記録されている動画情報（所定の関連情報）Ｍを取得して、表示パネル８ｂに表示されている部分画像Ｉｐを全体画像Ｉａに切り換える所定の表示動作を行わせる。
すなわち、表示制御部８ａは、例えば、ユーザによる操作入力部９の所定操作に基づいてユーザが所望する部分画像Ｉｐを表示パネル８ｂに表示させた第１の表示状態で、当該部分画像Ｉｐと対応付けて、当該第１の表示状態から第２の表示状態までの動画像の表示（所定の表示動作）の実行を指示する指標Ｃを表示パネル８ｂに表示させる（図７（ａ）参照）。そして、ユーザにより操作入力部９を介して指標Ｃが操作されると、表示制御部８ａは、記録部７から読み出されて画像処理部５により復号された当該部分画像Ｉｐと対応付けられている動画情報Ｍを取得して、第１の表示状態（図７（ａ）参照）から途中の表示状態（図７（ｃ）参照）を経て第２の表示状態（図８（ｂ）参照）まで、所定のフレームレートで画像を動的に切り換える動画像を表示パネル８ｂに表示させる制御を行う。
具体的には、表示制御部８ａは、表示パネル８ｂの表示領域全体に部分画像Ｉｐを表示させた第１の表示状態（図７（ａ）参照）から、動画情報Ｍにおける部分画像Ｉｐの表示位置及び拡大縮小率を示す情報に従って当該部分画像Ｉｐのサイズを次第に小さくしていった所定数のフレーム画像Ｆ１（図７（ｂ）参照）を所定のフレームレートで切り換えて表示パネル８ｂに表示させていく。そして、表示制御部８ａは、全体画像Ｉａ内における部分画像Ｉｐ以外の領域を非表示としたフレーム画像Ｆ２を表示パネル８ｂに表示させた途中の表示状態（図７（ｃ）参照）となると、動画情報Ｍにおける非表示とする領域の位置を示す情報に従って全体画像Ｉａ内にて非表示とする領域を次第に狭めていった所定数のフレーム画像Ｆ３（図８（ａ）参照）を所定のフレームレートで切り換えて表示パネル８ｂに表示させていく。その後、表示制御部８ａは、表示パネル８ｂの表示領域全体に全体画像Ｉａを表示させて第２の表示状態とする。
なお、上記した部分画像Ｉｐを全体画像Ｉａに切り換える所定の表示動作は、一例であってこれに限られるものではなく、適宜任意に変更可能である。
【００３６】
なお、第１の表示状態にて、表示パネル８ｂの表示領域全体に部分画像Ｉｐを表示させるとは、部分画像Ｉｐの縦横のうちの少なくとも一方の長さが表示パネル８ｂの縦横のうちの対応する方の長さと略等しくなるように拡大した状態のことを言う。すなわち、例えば、部分画像Ｉｐの縦横比と表示パネル８ｂの縦横比とが一致しない場合、表示パネル８ｂの表示領域には部分画像Ｉｐが表示されていない領域が生じる（図７（ａ）参照）。
【００３７】
表示パネル８ｂは、表示制御部８ａからのビデオ信号に基づいて撮像部３により撮像された画像などを表示領域内に表示する。
なお、表示パネル８ｂとしては、例えば、液晶表示パネルや有機ＥＬ（Electro-Luminescence）表示パネルなどが挙げられるが、一例であってこれらに限られるものではない。
【００３８】
操作入力部９は、当該撮像装置１００の所定操作を行うためのものである。具体的には、操作入力部９は、被写体の撮影指示に係り、半押し操作（第１の操作）及び全押し操作（第２の操作）の二段階での操作が可能なシャッタボタン９ａ、撮影モードや機能等の選択指示に係る選択決定ボタン（図示略）、ズーム量の調整指示に係るズームボタン（図示略）等の操作部を備えている。
そして、ユーザにより各種ボタンが操作されると、操作入力部９は、操作されたボタンに応じた操作信号を中央制御部１に出力する。中央制御部１は、操作入力部９から出力され入力された操作指示に従って所定の動作（例えば、静止画像の撮影等）を各部に実行させる。
【００３９】
＜撮影処理＞
次に、撮像装置１００による撮影処理について、図２〜図５（ｂ）を参照して説明する。
図２は、撮影処理に係る動作の一例を示すフローチャートである。また、図３（ａ）〜図５（ｂ）は、撮影処理を説明するための図である。
【００４０】
なお、以下に説明する撮影処理では、部分画像Ｉｐと全体画像Ｉａとを対応付けて記録する所定の撮影モードが設定されているものとする。
【００４１】
図２に示すように、先ず、撮像部３は、被写体の撮像を開始して、表示制御部８ａは、信号処理部４により生成された全体画像Ｉａに係る複数のフレーム画像の表示用の画像データに基づいて、ライブビュー画像を表示パネル８ｂに表示させる（ステップＳ１）。
次に、設定部５ａは、撮像部３の撮像範囲内の略中央に、例えば、切出領域テーブルＴにデフォルトとして設定されているサイズや形状の切出領域Ａを設定する（ステップＳ２）。そして、表示制御部８ａは、表示パネル８ｂに逐次表示されている全体画像Ｉａ内で切出領域Ａを示す枠Ｗを表示させるとともに、切出領域Ａ以外の領域にマスク処理を施して、当該切出領域Ａ以外の領域の画像を半透過の表示状態で表示させる（ステップＳ３；図３（ａ）参照）。
【００４２】
その後、中央制御部１のＣＰＵは、ユーザによる操作入力部９の所定操作に基づいて、切出領域Ａのサイズや形状を変更する指示が入力されたか否かを判定する（ステップＳ４）。この判定は、例えば、切出領域テーブルＴに規定されている切出領域Ａのサイズ及び形状の複数の組み合わせの中から、何れか一のサイズ及び形状の組み合わせがユーザによる操作入力部９の所定操作（第３の操作）に基づいて選択されたか否かに応じて行われる。
ここで、切出領域Ａのサイズや形状を変更する指示が入力されたと判定されると（ステップＳ４；ＹＥＳ）、変位制御部５ｄは、撮像部３の撮像範囲に対して切出領域Ａの位置を略中央に固定した状態で、当該切出領域Ａのサイズや形状を指示された変更内容に応じて変更する（ステップＳ５）。そして、処理をステップＳ３に戻し、表示制御部８ａは、切出領域Ａのサイズ及び形状の変更に対応させて、表示パネル８ｂに当該変更後の切出領域Ａを示す枠Ｗを表示させるとともに、切出領域Ａ以外の領域の画像を半透過の表示状態で表示させる（図３（ｂ）参照）。
【００４３】
一方、ステップＳ４にて、切出領域Ａのサイズや形状を変更する指示が入力されていないと判定されると（ステップＳ４；ＮＯ）、中央制御部１のＣＰＵは、ユーザによる操作入力部９のシャッタボタン９ａの半押し操作が行われたか否かを判定する（ステップＳ６）。
ここで、シャッタボタン９ａの半押し操作が行われていないと判定されると（ステップＳ６；ＮＯ）、中央制御部１のＣＰＵは、処理をステップＳ４に戻し、上記と同様に、切出領域Ａのサイズや形状を変更する指示が入力されたか否かを判定する。
【００４４】
ステップＳ６にて、シャッタボタン９ａの半押し操作が行われたと判定されると（ステップＳ６；ＹＥＳ）、表示制御部８ａは、切出領域Ａ以外の領域の画像の半透過の表示状態での表示を解除する（ステップＳ７；図４（ａ）参照）。
そして、変位制御部５ｄは、切出領域Ａのサイズや形状を固定した状態で、変位部５ｃにより特定の被写体の移動に追従させるように切出領域Ａの位置を変位させる制御を行う（ステップＳ８；図４（ｂ）参照）。具体的には、変位部５ｃは、被写体移動検出部５ｂにより検出される特定の被写体の相対的な移動に合わせて、撮像部３の撮像範囲内における切出領域Ａの位置を変位させる。また、表示制御部８ａは、切出領域Ａの変位に対応させて、表示パネル８ｂに当該切出領域Ａを示す枠Ｗを変位させて表示させる。
【００４５】
次に、中央制御部１のＣＰＵは、ユーザによる操作入力部９のシャッタボタン９ａの半押し操作が解除されたか否かを判定する（ステップＳ９）。
ここで、シャッタボタン９ａの半押し操作が解除されていないと判定されると（ステップＳ９；ＮＯ）、中央制御部１のＣＰＵは、ユーザによる操作入力部９のシャッタボタン９ａの全押し操作が行われたか否かを判定する（ステップＳ１０）。
【００４６】
ステップＳ１０にて、シャッタボタン９ａの全押し操作が行われていないと判定されると（ステップＳ１０；ＮＯ）、処理をステップＳ８に戻し、上記と同様に、変位制御部５ｄは、切出領域Ａのサイズや形状を固定した状態で、変位部５ｃにより特定の被写体の移動に追従させるように切出領域Ａの位置を変位させる制御を行う。
一方、ステップＳ１０にて、シャッタボタン９ａの全押し操作が行われたと判定されると（ステップＳ１０；ＹＥＳ）、切出部５ｅは、シャッタボタン９ａの全押し操作が行われた時点で信号処理部４により生成された全体画像ＩａのＹＵＶデータをメモリ２から取得し、全体画像Ｉａから切出領域Ａに対応する部分画像Ｉｐを切り出す（ステップＳ１１；図５（ａ）参照）。なお、撮像制御部３ｃは、全体画像Ｉａを撮像する際に、切出領域Ａを基準として、ＡＦ（自動合焦処理）、ＡＥ（自動露出処理）、ＡＷＢ（自動ホワイトバランス）等を行っても良い。
その後、動画生成部６ａは、部分画像Ｉｐから全体画像Ｉａに動的に切り換える視覚効果を有する動画情報Ｍを生成して（ステップＳ１２）、記録制御部６は、切出部５ｅにより切り出された切出領域Ａに対応する部分画像Ｉｐと、撮像部３により撮像される全体画像Ｉａ（図５（ｂ）参照）と、生成された動画情報Ｍとをそれぞれ個別に圧縮して、同じファイル名で別々のファイルとし、これらを対応付けて記録部７に記録させる（ステップＳ１３）。
【００４７】
一方、ステップＳ９にて、シャッタボタン９ａの半押し操作が解除されたと判定されると（ステップＳ９；ＹＥＳ）、処理をステップＳ２に戻し、設定部５ａは、撮像部３の撮像範囲内の略中央に、例えば、前回（例えば、シャッタボタン９ａの半押し操作の解除前に）設定されたサイズや形状の切出領域Ａを設定する。その後、上記と同様に、ステップＳ３以降の各処理が行われる。
【００４８】
なお、上記した撮影処理では、切出領域Ａに対応する部分画像Ｉｐの切り出しに続けて動画情報Ｍを生成するようにしたが、例えば、当該動画情報Ｍの生成に時間がかかると、次の撮影までの待機時間が長くなる虞がある。このため、動画情報Ｍを生成して部分画像Ｉｐ及び全体画像Ｉａと対応付けて記録する処理（ステップＳ１２、Ｓ１３）は、次の撮影処理のバックグラウンドで並行して行うようにしても良い。
また、処理能力が相対的に低い装置でも、上記と同様の問題が生じる虞があるため、例えば、部分画像Ｉｐ及び全体画像Ｉａを外部の装置に送信して、当該外部の装置にて動画情報Ｍを生成させるようにしても良い。
【００４９】
＜画像表示処理＞
次に、撮像装置１００による画像表示処理について、図６〜図８（ｂ）を参照して説明する。
図６は、画像表示処理に係る動作の一例を示すフローチャートである。また、図７（ａ）〜図８（ｂ）は、画像表示処理を説明するための図である。
【００５０】
図６に示すように、先ず、記録部７に記録されている画像の中で、ユーザによる操作入力部９の所定操作に基づいてユーザが所望する部分画像Ｉｐが指定されると、記録制御部６は、指定された部分画像Ｉｐを記録部７から読み出し、表示制御部８ａは、第１の表示状態として、記録部７から読み出され画像処理部５により復号された部分画像Ｉｐを表示パネル８ｂの表示領域全体に表示させる（ステップＳ２１；図７（ａ）参照）。
この第１の表示状態では、表示制御部８ａは、部分画像Ｉｐと対応付けて、第１の表示状態から第２の表示状態までの動画像の表示の実行を指示する指標Ｃを表示パネル８ｂに表示させる。
【００５１】
次に、中央制御部１のＣＰＵは、ユーザによる操作入力部９の所定操作に基づいて、部分画像Ｉｐと対応付けられている指標Ｃが操作されたか否かを判定する（ステップＳ２２）。
ここで、指標Ｃが操作されていないと判定されると（ステップＳ２２；ＮＯ）、中央制御部１のＣＰＵは、処理をステップＳ２１に戻し、上記と同様にして、第１の表示状態を維持させる。
一方、ステップＳ２２にて、指標Ｃが操作されたと判定されると（ステップＳ２２；ＹＥＳ）、記録制御部６は、表示されている部分画像Ｉｐと対応付けられている動画情報Ｍを記録部７から読み出し、表示制御部８ａは、記録部７から読み出され画像処理部５により復号された動画情報Ｍを取得する（ステップＳ２３）。
【００５２】
続いて、表示制御部８ａは、取得された動画情報Ｍに基づいて、部分画像Ｉｐのサイズを次第に小さくしていった所定数のフレーム画像Ｆ１（図７（ｂ）参照）を所定のフレームレートで切り換えて表示パネル８ｂに表示させる（ステップＳ２４）。そして、表示制御部８ａは、途中の表示状態として、全体画像Ｉａ内における部分画像Ｉｐ以外の領域を非表示としたフレーム画像Ｆ２を表示パネル８ｂに表示させる（ステップＳ２５；図７（ｃ）参照）。このように、表示制御部８ａは、第１の表示状態から部分画像Ｉｐのサイズを次第に小さくするようにして途中の表示状態までフレーム画像を動的に切り換えて表示パネル８ｂに表示させる。
【００５３】
その後、表示制御部８ａは、取得された動画情報Ｍに基づいて、全体画像Ｉａ内にて非表示とする領域を次第に狭めていった所定数のフレーム画像Ｆ３を所定のフレームレートで切り換えて表示パネル８ｂに表示させる（ステップＳ２６；図８（ａ）参照）。そして、表示制御部８ａは、第２の表示状態として、表示パネル８ｂの表示領域全体に全体画像Ｉａを表示させる（ステップＳ２７）。このように、表示制御部８ａは、途中の表示状態から全体画像Ｉａ内にて非表示とする領域を次第に狭めるようにして第２の表示状態までフレーム画像を動的に切り換えて表示パネル８ｂに表示させる。
これにより、画像表示処理を終了する。
【００５４】
以上のように、本実施形態の撮像装置１００によれば、画像の記録を指示する操作が行われると、全体画像Ｉａ内の切出領域Ａに対応する部分画像Ｉｐと、少なくとも全体画像Ｉａに関連する所定の関連情報とを対応付けて記録させ、表示パネル８ｂに表示されている部分画像Ｉｐと対応付けられて記録されている所定の関連情報を取得して、表示パネル８ｂに表示されている部分画像Ｉｐを全体画像Ｉａに切り換える所定の表示動作を行わせるので、表示パネル８ｂに表示されている部分画像Ｉｐから当該部分画像Ｉｐが含まれる全体画像Ｉａに動的に切り換えることができ、ユーザに部分画像Ｉｐと全体画像Ｉａとの関係性をより容易に把握させることができる。
【００５５】
また、部分画像Ｉｐと対応付けて表示パネル８ｂに表示されている指標Ｃがユーザにより操作されると、部分画像Ｉｐから全体画像Ｉａに動的に切り換える視覚効果を有する動画情報に基づいて、表示パネル８ｂの表示領域全体に部分画像Ｉｐを表示させた第１の表示状態から当該表示領域全体に全体画像Ｉａを表示させた第２の表示状態まで動的に切り換える動画像を表示させるので、表示パネル８ｂに表示されている部分画像Ｉｐと、当該部分画像Ｉｐから動的に切換えられる全体画像Ｉａとの関係性がより明確となって、ユーザに部分画像Ｉｐと全体画像Ｉａとの関係性をより容易に把握させることができる。
【００５６】
また、第１の表示状態から第２の表示状態までの動的な切り換えの途中の表示状態として、全体画像Ｉａ内における部分画像Ｉｐ以外の領域を非表示とした画像を表示パネル８ｂに表示させ、途中の表示状態から全体画像Ｉａ内にて非表示とする領域を次第に狭めるようにして第２の表示状態まで動的に切り換えるので、全体画像Ｉａ内での部分画像Ｉｐの位置関係や相対的な大きさをユーザに容易に把握させることができる。特に、表示パネル８ｂの表示領域全体に部分画像Ｉｐを表示させた第１の表示状態から部分画像Ｉｐのサイズを次第に小さくするようにして途中の表示状態まで動的に切り換えるので、表示パネル８ｂの表示領域全体に表示されている部分画像Ｉｐの全体画像Ｉａ内での位置関係や相対的な大きさがより明確となって、ユーザに部分画像Ｉｐと全体画像Ｉａとの関係性をより容易に把握させることができる。
【００５７】
また、画像の記録を指示する操作が行われると、部分画像Ｉｐから全体画像Ｉａに動的に切り換える視覚効果を有する動画情報を生成して、生成された動画情報を部分画像Ｉｐと対応付けて記録させるので、例えば、外部の装置やｗｅｂ（World Wide Web）サーバに当該動画情報を転送して、外部の装置やｗｅｂサーバが開設するｗｅｂページ上で同様の視覚効果を有する動画像を表示させることができ、使い勝手の向上を図ることができる。
【００５８】
また、部分画像Ｉｐ及び全体画像Ｉａは、それぞれ独立して再生や削除が可能であるので、これらの画像、特に、部分画像Ｉｐを通常の画像と同様に取り扱うことができる。
さらに、動画情報Ｍは、表示パネル８ｂに部分画像Ｉｐが表示された状態で、所定の表示動作の実行が指示されると再生可能であるので、部分画像Ｉｐと対応付けられている動画像の再生をより容易に行うことができ、当該部分画像Ｉｐが表示された状態から動画像を表示して全体画像Ｉａに動的に切り換えることができ、ユーザに部分画像Ｉｐと全体画像Ｉａとの関係性をより容易に把握させることができる。
また、動画情報Ｍは、部分画像Ｉｐや全体画像Ｉａの削除が指示されると当該削除に付随して削除可能であるので、動画情報Ｍの削除を部分画像Ｉｐや全体画像Ｉａの削除と連動させて行うことができ、記録部７に記録されている画像の管理をより容易に行うことができる。
【００５９】
なお、本発明は、上記実施形態に限定されることなく、本発明の趣旨を逸脱しない範囲において、種々の改良並びに設計の変更を行っても良い。
例えば、上記実施形態にあっては、部分画像Ｉｐと全体画像Ｉａと動画情報Ｍとを対応付けて記録させるようにしたが、一例であってこれに限られるものではなく、少なくとも部分画像Ｉｐと動画情報Ｍとを対応付けて記録させる構成であれば良い。
【００６０】
また、上記実施形態にあっては、所定の関連情報として、部分画像Ｉｐから全体画像Ｉａに動的に切り換える視覚効果を有する動画情報を例示したが、一例であってこれに限られるものではなく、部分画像Ｉｐを全体画像Ｉａに切り換える所定の表示動作を行わせるものであれば適宜任意に変更可能である。
【００６１】
さらに、上記実施形態にあっては、表示パネル８ｂに表示されている指標Ｃがユーザにより操作されると、部分画像Ｉｐを全体画像Ｉａに動的に切り換えるようにしたが、一例であってこれに限られるものではなく、必ずしも指標Ｃの操作は必要ない。すなわち、例えば、表示パネル８ｂに部分画像Ｉｐが表示されている時間が所定の時間を経過した場合には、自動的に全体画像Ｉａに動的に切り換えるようにしても良い。
【００６２】
加えて、上記本実施形態にあっては、中央制御部１の制御下にて、設定部５ａ、記録制御部６、表示制御部８ａが駆動する構成としたが、これに限られるものではなく、中央制御部１のＣＰＵによって所定のプログラム等が実行される構成としても良い。
すなわち、プログラムメモリ（図示略）に、設定処理ルーチン、記録制御処理ルーチン、部分画像表示制御処理ルーチン、切換表示制御処理ルーチンを含むプログラムを記録しておく。そして、設定処理ルーチンにより中央制御部１のＣＰＵに、撮像部３の撮像範囲内の所定位置に切出領域Ａを設定する機能を実現させるようにしても良い。また、記録制御処理ルーチンにより中央制御部１のＣＰＵに、画像の記録を指示する操作が行われると、撮像部３により撮像される全体画像Ｉａ内の切出領域Ａに対応する部分画像Ｉｐと、少なくとも全体画像Ｉａに関連する所定の関連情報とを対応付けて記録させる機能を実現させるようにしても良い。また、部分画像表示制御処理ルーチンにより中央制御部１のＣＰＵに、記録されている部分画像Ｉｐを取得して表示パネル８ｂに表示させる機能を実現させるようにしても良い。また、切換表示制御処理ルーチンにより中央制御部１のＣＰＵに、部分画像Ｉｐと対応付けられて記録されている所定の関連情報を取得して、表示パネル８ｂに表示されている部分画像Ｉｐを全体画像Ｉａに切り換える所定の表示動作を行わせる機能を実現させるようにしても良い。
【００６３】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００６４】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
撮像手段の撮像範囲内の所定位置に切出領域を設定する設定手段と、
画像の記録を指示する操作が行われると、前記撮像手段により撮像される全体画像内の前記切出領域に対応する部分画像と、少なくとも前記全体画像に関連する所定の関連情報とを対応付けて記録させる記録制御手段と、
前記記録制御手段により記録されている前記部分画像を取得して表示手段に表示させる部分画像表示制御手段と、
前記記録制御手段により前記部分画像と対応付けられて記録されている前記所定の関連情報を取得して、前記表示手段に表示されている前記部分画像を前記全体画像に切り換える所定の表示動作を行わせる切換表示制御手段と、
を備えたことを特徴とする撮像装置。
＜請求項２＞
前記所定の関連情報は、前記部分画像から前記全体画像に動的に切り換える視覚効果を有する動画情報を含み、
前記部分画像表示制御手段は、更に、前記表示手段に表示されている前記部分画像と対応付けて、前記所定の表示動作の実行を指示する指標を前記表示手段に表示させ、
前記切換表示制御手段は、前記指標がユーザにより操作されると、前記動画情報に基づいて、前記表示手段の表示領域全体に前記部分画像を表示させた第１の表示状態から当該表示領域全体に前記全体画像を表示させた第２の表示状態まで動的に切り換える動画像の表示を前記所定の表示動作として行う
ことを特徴とする請求項１に記載の撮像装置。
＜請求項３＞
前記切換表示制御手段は、更に、前記第１の表示状態から前記第２の表示状態までの動的な切り換えの途中の表示状態として、前記全体画像内における前記部分画像以外の領域を非表示とした画像を前記表示手段に表示させ、前記途中の表示状態から前記全体画像内にて非表示とする領域を次第に狭めるようにして前記第２の表示状態まで動的に切り換える
ことを特徴とする請求項２に記載の撮像装置。
＜請求項４＞
前記切換表示制御手段は、更に、前記第１の表示状態から前記部分画像の大きさを次第に小さくするようにして前記途中の表示状態まで動的に切り換える
ことを特徴とする請求項３に記載の撮像装置。
＜請求項５＞
画像の記録を指示する操作が行われると、前記部分画像から前記全体画像に動的に切り換える視覚効果を有する動画情報を生成する動画生成手段を更に備え、
前記記録制御手段は、前記動画生成手段により生成された動画情報を前記所定の関連情報として記録させる
ことを特徴とする請求項１〜４の何れか一項に記載の撮像装置。
＜請求項６＞
前記記録制御手段は、前記全体画像を、前記部分画像及び前記所定の関連情報と対応付けて記録させ、
前記部分画像及び前記全体画像は、それぞれ独立して再生可能であり、
前記所定の関連情報は、前記部分画像表示制御手段により前記表示手段に前記部分画像が表示された状態で、前記所定の表示動作の実行が指示されると再生可能である
ことを特徴とする請求項５に記載の撮像装置。
＜請求項７＞
前記部分画像及び前記全体画像は、それぞれ独立して削除可能であり、
前記所定の関連情報は、前記部分画像及び前記全体画像のうちの少なくとも一方の削除が指示されると当該削除に付随して削除可能である
ことを特徴とする請求項５に記載の撮像装置。
＜請求項８＞
撮像装置を用いた画像表示方法であって、
撮像手段の撮像範囲内の所定位置に切出領域を設定する設定処理と、
画像の記録を指示する操作が行われると、前記撮像手段により撮像される全体画像内の前記切出領域に対応する部分画像と、少なくとも前記全体画像に関連する所定の関連情報とを対応付けて記録させる記録制御処理と、
前記記録制御処理により記録されている前記部分画像を取得して表示手段に表示させる部分画像表示制御処理と、
前記記録制御処理により前記部分画像と対応付けられて記録されている前記所定の関連情報を取得して、前記表示手段に表示されている前記部分画像を前記全体画像に切り換える所定の表示動作を行わせる切換表示制御処理と、
を含むことを特徴とする画像表示方法。
＜請求項９＞
撮像装置のコンピュータを、
撮像手段の撮像範囲内の所定位置に切出領域を設定する設定手段、
画像の記録を指示する操作が行われると、前記撮像手段により撮像される全体画像内の前記切出領域に対応する部分画像と、少なくとも前記全体画像に関連する所定の関連情報とを対応付けて記録させる記録制御手段、
前記記録制御手段により記録されている前記部分画像を取得して表示手段に表示させる部分画像表示制御手段、
前記記録制御手段により前記部分画像と対応付けられて記録されている前記所定の関連情報を取得して、前記表示手段に表示されている前記部分画像を前記全体画像に切り換える所定の表示動作を行わせる切換表示制御手段、
として機能させることを特徴とするプログラム。
【符号の説明】
【００６５】
１００  撮像装置
１      中央制御部
３      撮像部
５      画像処理部
５ａ    設定部
６      記録制御部
６ａ    動画生成部
７      記録部
８      表示部
８ａ    表示制御部
８ｂ    表示パネル
９      操作入力部
９ａ    シャッタボタン
Ｉａ    全体画像
Ｉｐ    部分画像
Ｍ      動画情報
【図１】
2018007190.tif 000003
【図２】
2018007190.tif 000004
【図３】
2018007190.tif 000005
【図４】
2018007190.tif 000006
【図５】
2018007190.tif 000007
【図６】
2018007190.tif 000008
【図７】
2018007190.tif 000009
【図８】
2018007190.tif 000010